【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
撮像部の撮影範囲において設定される設定エリアに、第１の位相差検出センサによる測距エリアが存在するか否かに応じて、撮像素子にある第２の位相差検出センサによる測距エリアが異なるように設定する焦点検出制御部を備える
撮像制御装置。
【請求項２】
前記焦点検出制御部は、
前記設定エリアに第１の位相差検出センサによる測距エリアが存在しない場合の前記測距エリアの種類を、前記設定エリアに第１の位相差検出センサによる測距エリアが存在する場合の前記測距エリアの種類より多くする
請求項１に記載の撮像制御装置。
【請求項３】
前記第２の位相差検出センサによる測距エリアは、少なくとも、第１の測距エリアと、前記第１の測距エリアより大きい第２の測距エリアとを含み、
前記焦点検出制御部は、
前記設定エリアに第１の位相差検出センサによる測距エリアが存在しない場合の前記第２の測距エリアの数を、前記設定エリアに第１の位相差検出センサによる測距エリアが存在する場合の前記第２の測距エリアの数より多くする
請求項１に記載の撮像制御装置。
【請求項４】
前記焦点検出制御部は、
前記設定エリアに第１の位相差検出センサによる測距エリアが存在するか否かに応じて、前記第１の測距エリアと前記第２の測距エリアとの割合を変更する
請求項３に記載の撮像制御装置。
【請求項５】
前記焦点検出制御部は、
前記設定エリアに第１の位相差検出センサによる測距エリアが存在しない場合に、前記第２の位相差検出センサによる、所定サイズより大きい測距エリアを設定する
請求項１に記載の撮像制御装置。
【請求項６】
前記第１の測距エリアと前記第２の測距エリアとが重複している
請求項３又は４に記載の撮像制御装置。
【請求項７】
前記第１の測距エリアと前記第２の測距エリアとが互いに独立している
請求項３又は４に記載の撮像制御装置。
【請求項８】
前記焦点検出制御部は、
前記設定エリアに第１の位相差検出センサによる測距エリアが存在する場合に、当該測距エリアのサイズを変更する
請求項１から７までの何れかに記載の撮像制御装置。
【請求項９】
デフォーカス量選択部をさらに備える
請求項１から８までの何れかに記載の撮像制御装置。
【請求項１０】
前記デフォーカス量選択部は、
前記設定エリアに、前記第１の位相差検出センサによる測距エリアが存在する場合に、前記第１の位相差検出センサにより得られるデフォーカス量、前記第１の測距エリアに対応する第２の位相差検出センサにより得られるデフォーカス量および前記第２の測距エリアに対応する第２の位相差検出センサにより得られるデフォーカス量のうち１のデフォーカス量を所定の条件に応じて選択する
請求項９に記載の撮像制御装置。
【請求項１１】
前記デフォーカス量選択部は、
前記設定エリアに、前記第１の位相差検出センサによる測距エリアが存在しない場合に、前記第１の測距エリアに対応する第２の位相差検出センサにより得られるデフォーカス量および前記第２の測距エリアに対応する第２の位相差検出センサにより得られるデフォーカス量のうち１のデフォーカス量を所定の条件に応じて選択する
請求項９又は１０に記載の撮像制御装置。
【請求項１２】
前記設定エリアは、ユーザによる入力操作に応じて設定されるエリアである
請求項１から１１までの何れかに記載の撮像制御装置。
【請求項１３】
前記設定エリアは、被写体検出処理の結果に応じて設定されるエリアである
請求項１から１１までの何れかに記載の撮像制御装置。
【請求項１４】
前記撮影範囲における前記第２の位相差検出センサのうち、前記設定エリアにおける前記第２の位相差検出センサのみから信号を読み出す
請求項１から１２までの何れかに記載の撮像制御装置。
【請求項１５】
前記第１の位相差検出センサは、前記撮像素子とは異なる場所に設けられる
請求項１から１３までの何れか記載の撮像制御装置。
【請求項１６】
前記撮像部と、
前記第１の位相差検出センサと、
前記第２の位相差検出センサと
を備える
請求項１から１５までの何れかに記載の撮像制御装置。
【請求項１７】
焦点検出制御部が、撮像部の撮影範囲において設定される設定エリアに、第１の位相差検出センサによる測距エリアが存在するか否かに応じて、撮像素子にある第２の位相差検出センサによる測距エリアが異なるように設定する
撮像制御方法。
【手続補正２】
【補正対象書類名】明細書
【補正対象項目名】００１８
【補正方法】変更
【補正の内容】
【００１８】
筐体１０には電子ビューファインダ（EVF：Electronic View Finder）１４が設けられている。電子ビューファインダ１４は、例えば、液晶ディスプレイ（Liquid Crystal Display（ＬＣＤ））、有機ＥＬ(Electroluminescence:電界発光効果) ディスプレイなどを備える。電子ビューファインダ１４には、撮像素子１２Ａから取り出された画像信号を信号処理部（図示しない）で処理することにより得られる画像データが供給され、電子ビューファインダ１４は、それらをリアルタイム画像（スルー画像）として表示する。
【手続補正３】
【補正対象書類名】明細書
【補正対象項目名】００１９
【補正方法】変更
【補正の内容】
【００１９】
筐体１０には、ディスプレイ１５が設けられている。ディスプレイ１５は、液晶ディスプレイ、有機ＥＬディスプレイ等のフラットディスプレイなどである。ディスプレイ１５には、撮像素子１２Ａから取り出された画像信号を信号処理部（図示しない）で処理して得られる画像データが供給され、ディスプレイ１５はそれらをリアルタイム画像（いわゆるスルー画像）として表示する。図１においては、ディスプレイ１５は、筺体の背面側に設けられているが、これに限られず、筺体上面などに設けてもよく、可動式や取り外し式としてもよい。ディスプレイ１５は筐体１０になくてもよく、この場合、撮像装置１に接続されたテレビジョン装置等がディスプレイ１５として機能してもよい。
【手続補正４】
【補正対象書類名】明細書
【補正対象項目名】００３１
【補正方法】変更
【補正の内容】
【００３１】
グラフィックＩ／Ｆ３５は、制御部３４から供給された画像信号から、ディスプレイ１５に表示させるための画像信号を生成して、この信号をディスプレイ１５に供給することにより画像を表示させる。ディスプレイ１５には、撮像中のスルー画像、記憶媒体３８に記録された画像などが表示される。
【手続補正５】
【補正対象書類名】明細書
【補正対象項目名】００４３
【補正方法】変更
【補正の内容】
【００４３】
第２位相差検出用画素Ｐ２は受光素子１２１を有する。また。光の入射側には、マイクロレンズ１２２が設けられている。さらに、受光素子１２１とマイクロレンズ１２２の間には、瞳分割を行うため、入射する光を遮る遮光層１２３が設けられている。遮光層１２３は、受光素子１２１の中心に対して片側方向に偏心した開口部１２４を有するように構成されている。
【手続補正６】
【補正対象書類名】明細書
【補正対象項目名】００６７
【補正方法】変更
【補正の内容】
【００６７】
図９は、ディスプレイ１５に表示される撮影範囲において設定された設定エリアを示している。図９では、設定エリアの一例として、専用ＡＦエリアが存在しない設定エリアＡＲ１と、専用ＡＦエリアが存在する設定エリアとが例示されている。専用ＡＦエリアが存在する設定エリアとして、像面ＡＦエリアのみのエリアが存在しない設定エリアＡＲ２と、像面ＡＦエリアのみのエリアが存在する設定エリアＡＲ３とが例示されている。
【手続補正７】
【補正対象書類名】明細書
【補正対象項目名】００８０
【補正方法】変更
【補正の内容】
【００８０】
なお、設定エリアＡＲ３を分割せずに、設定エリアに専用ＡＦエリアを一部でも含む場合には、図１４と同様の配置を行って処理を単純化してもよい。また、例えば、設定エリア内に、専用ＡＦエリアと、大きい枠サイズの像面ＡＦエリアと、小さい枠サイズの像面ＡＦエリアとが混在して配置されてもよい。この配置において、例えば、小さい枠サイズの像面ＡＦエリアの結果がローコントラストで、大きい枠サイズの像面ＡＦエリアの結果が大ＤＦで有効であり、専用ＡＦエリアの結果が大ＤＦで有効であるとする。なお、結果がローコントラストとは、例えば、被写体のコントラストが極めて低く、位相差ＡＦ処理において相関演算処理のマッチングがとれる箇所がなく（コントラストＡＦ処理ではコントラスト値が高くなるレンズの位置がなく）、ピントが合わせられない状態を意味し、有効とは、一定以上の評価値であって演算等に使用できる程度の信頼性であることを意味する。このような場合には、専用位相差ＡＦセンサ１３の方が大ＤＦに対する検出精度が高いため、専用ＡＦエリアの結果を採用する。また、小さい枠サイズの像面ＡＦエリアの結果が有効で信頼性が高く、大きい枠サイズの像面ＡＦエリアの結果が有効で信頼性が低く、専用位相差ＡＦの結果が有効であるとする。この場合には、信頼性が高く小さい被写体に有効な小さい枠サイズの像面ＡＦエリアからの出力を採用する。
【手続補正８】
【補正対象書類名】明細書
【補正対象項目名】００９０
【補正方法】変更
【補正の内容】
【００９０】
ステップＳＴ７の判断処理において、分割後のエリアに専用ＡＦエリアが存在する場合には、処理がステップＳＴ９に進む。ステップＳＴ９では、設定エリアＡＲ３ｂには専用ＡＦエリアが存在することから、ステップＳＴ４と同様の処理（配置）が行われる。
【手続補正９】
【補正対象書類名】明細書
【補正対象項目名】００９１
【補正方法】変更
【補正の内容】
【００９１】
以上のＡＦエリアの調整をまとめると下記のようになる。
焦点検出制御部３４１は、撮影範囲５０において設定される設定エリアに、専用ＡＦエリアが存在するか否かに応じて、専用ＡＦエリアが存在するエリアにおける像面ＡＦエリアの配置と、専用ＡＦエリアが存在しないエリアにおける像面ＡＦエリアの配置とを異なるようにしている。
例えば、小さい枠サイズのＡＦエリアＡＦＥ１と、大きい枠サイズのＡＦエリアＡＦＥ２とを用意し、専用ＡＦエリアが存在しないエリアにおけるＡＦエリアＡＦＥ２の数を、専用ＡＦエリアが存在するエリアにおけるＡＦエリアＡＦＥ２の数より多くする。
別の観点で言えば、設定エリアに専用ＡＦエリアが存在するか否かに応じて、像面ＡＦエリアの種類が変わる。例えば、図１３に示した設定エリアＡＲ１における像面ＡＦエリアの種類は２種類なのに対して、図１４に示した設定エリアＡＲ２における像面ＡＦエリアの種類は１種類となり少なくなる。
さらに、別の観点で言えば、設定エリアに専用ＡＦエリアが存在するか否かに応じて、ＡＦエリアＡＦＥ１とＡＦエリアＡＦＥ２との割合を変更してもよい。割合は、各ＡＦエリアの数や設定エリアに占めるＡＦエリアの大きさ、各ＡＦエリアに含まれる位相差検出用画素の画素数、ＡＦエリアＡＦＥ１とＡＦエリアＡＦＥ２との大きさの割合等のいずれか、若しくは、組合せにより規定することができる。
さらに、別の観点で言えば、設定エリアに専用ＡＦエリアが存在しない場合には、所定枠サイズより大きい像面ＡＦエリア（例えば、ＡＦエリアＡＦＥ２）を設定すればよいことになる。
【手続補正１０】
【補正対象書類名】明細書
【補正対象項目名】００９９
【補正方法】変更
【補正の内容】
【００９９】
なお、図１７、図１８に示す処理は、全ての像面ＡＦエリアおよび全ての専用ＡＦエリアについて行って、その結果に基ついてデフォーカス量を選択しても良いし、最も良好なデータ同士を比較するようにしてもよい。また、小さい枠サイズのエリア、大きい枠サイズのエリアともセンサから出力されるのは波形であるが、焦点検出制御部３４１でエリア数分のＤＦと信頼性評価値とが算出されＤＦデータを選択する処理では複数のＤＦと信頼性の評価値とを比較することで遠近競合ではないエリアの選択が行われてもよい。例えば、大きい枠サイズのＡＦエリアのＤＦが０μｍで信頼できない評価値であり、小さい枠サイズのＡＦエリア１のＤＦが１００μｍで信頼性が高く、小さい枠サイズのＡＦエリア２のＤＦが−１００μｍで信頼性が高いとする。この場合は大きい枠内で遠近競合が発生したと判断し、近い側の小さい枠サイズのＡＦエリアが選択される。この処理は像面位相差方式のＡＦ、専用位相差センサを使用したＡＦでも同様である。